(57)【特許請求の範囲】
【請求項１】
左右方向に延び、かつ前後に対向する少なくとも一対の針ベッドを備え、それぞれの針ベッドは多数の針を持ち、前記対向する針ベッドの少なくとも一方の針ベッドが左右にラッキング可能に構成され、前後針ベッド間で目移し可能な横編機で、第一編地と、第一編地を挟んで編成される第二、第三編地を編成し、第二、第三編地の最終コースのループを第一編地に近い側から順に一端側から他方側に向かい順に第一編地の側端ループと重ね合わせ第一編地に次コースのループを形成する編成を繰り返す接合工程により第一編地と第二、第三編地を接合する編地接合方法であって、
第二編地と第三編地を前後異なる針ベッド上に保持し、ラッキングにより第一編地および第三編地を共に第二編地側に移動させるとともに、前後ベッド間で第一編地を掛け替え、第一編地の第二編地側側端ループと第二編地の側端ループを重ね、第三編地の側端ループと第一編地の第三編地側側端ループを重ねた後、第一編地に給糸して次コースのループを形成する編成を繰り返すことを特徴とする編地接合方法。
【請求項２】
請求項１に記載の編地接合方法であって、第一、第二、第三編地がそれぞれ第一針ベッドに付属して編成される第一編地部と、第二針ベッドに付属して編成される第二編地部が前後に重ねられて編成される筒状編地であって、第一編地と第三編地の第一編地部を第二編地の第一編地部側に移動させる編成と、第一編地と第三編地の第二編地部を第二編地の第二編地部側に移動させる編成を並行して行うことを特徴とする編地接合方法。
【請求項３】
請求項２に記載の編地接合方法であって、接合工程が以下の工程；
ａ）  第二編地の第二編地部を第一針ベッド上に、第三編地の第一編地部を第二針ベッド上に係止させる工程
ｂ）  第二編地の第二編地部を第一針ベッド上に、第三編地の第一編地部を第二針ベッド上に保持し、ラッキングにより第三編地の第一編地部を第一編地の第一編地部側に移動させ、第三編地の第一編地部における側端ループと第一編地の第一編地部における側端ループを対向させて両ループを重ねる編成と、
第一編地の第二編地部を第二編地の第二編地部側に移動させ、第一編地の第二編地部における第二編地側側端ループと第二編地の第二編地部における側端ループを対向させて両ループを重ねる編成を行う工程
ｃ）  第一編地の第一編地部を前後ベッド間で掛け替えを行う間に第一編地の第一編地部を第二編地の第一編地部側に移動させ、第一編地の第一編地部における第二編地側側端ループと第二編地の第一編地部における側端ループを対向させて両ループを重ねる工程
ｄ）  第一編地の第二編地部を前後ベッド間で掛け替えを行う間に第三編地の第二編地部を第一編地の第二編地部側に移動させ、第三編地の第一編地部における側端ループと第一編地の第二編地部における第三編地側側端ループを対向させて両ループを重ねる工程
ｅ）  第一編地の第一編地部および第二編地部に給糸して次コースのループを形成する工程
ｆ）  上記工程ｂ〜ｅを繰り返す工程
を含むことを特徴とする編地接合方法。
【請求項４】
請求項２に記載の編地接合方法であって、第一編地の第一編地部に分岐部が形成され、分岐部の形成開始後、第一編地の第一編地部が分岐部を挟んで第一のａ編地と第一のｂ編地として編成される編地の接合工程が以下の工程；
ａ）  第三編地の第一編地部を第二針ベッド上に保持し、ラッキングにより第三編地の第一編地部の側端ループと第一のｂ編地の側端ループを対向させて両ループを重ねる毎に第一のｂ編地に給糸して次コースのループを形成する編成と、第二編地の第二編地部のループを第一針ベッド上に回し込む編成を繰り返す工程
ｂ）  第二編地の第一編地部、および前記第一針ベッド上に目移しした第二編地部のループを第二針ベッド上に保持し、ラッキングにより第二編地の第一編地部の側端ループと第一のａ編地の側端ループを対向させて両ループを重ねる毎に第一のａ編地に給糸して次コースのループを形成する編成と、第三編地のループを第一針ベッド上に回し込む編成を繰り返す工程
ｃ）  第一編地の第二編地部を前後針ベッド間で掛け替えを行う間に第一編地の第二編地部における側端ループと第三編地の第二編地部における側端ループを対向させて両ループを重ねる編成と、
ラッキングにより第二編地の第二編地部における側端ループと第一編地の第二編地部における第二編地側側端ループを対向させて両ループを重ねる毎に第一編地の第二編地部に給糸して次コースのループを形成するとともに、第一針ベッド上の第二編地の第二編地部のループを第二針ベッド上に回し込み編成する工程
ｄ）  第一編地の第二編地部を前後針ベッド間で掛け替えを行う間に、第一編地の第二編地部における第二編地側側端ループと第二編地の第二編地部における側端ループを対向させて両ループを重ね、第三編地の第二編地部における側端ループと第一編地の第二編地部における側端ループを対向させて両ループを重ねる毎に第一編地の第二編地部に給糸して次コースのループを形成する工程
を含むことを特徴とする編地接合方法。
【請求項５】
前記請求項２に記載の編地接合方法であって、第一編地が身頃、第二、第三編地が左右の袖として形成される編地であって、左右の袖の袖山を引き返し編により形成した後、袖と身頃を接合することを特徴とする編地接合方法。
【請求項６】
前記請求項２に記載の編地接合方法であって、第一、第二、第三編地が全体を一つの筒状編地として構成される編地の第一領域部、第二領域部、第三領域部として形成されることを特徴とする請求項２に記載の編地接合方法。
【請求項７】
左右方向に延び、かつ前後に対向する少なくとも一対の針ベッドを備え、それぞれの針ベッドは多数の針を持ち、前記対向する針ベッドの少なくとも一方の針ベッドが左右にラッキング可能に構成され、前後針ベッド間で目移し可能な横編機で編成される編地であって、
第一編地と、第一編地を挟んで編成される第二、第三編地を編成し、第二、第三編地の最終コースのループを第一編地に近い側から順に一端側から他方側に向かい順に第一編地の側端ループと重ね合わせ第一編地に次コースのループを形成する編成を繰り返す接合工程により第一編地と第二、第三編地を接合する過程において、
第二編地と第三編地を前後異なる針ベッド上に保持し、ラッキングにより第一編地および第三編地を共に第二編地側に移動させるとともに、前後ベッド間で第一編地を掛け替え、第一編地の第二編地側側端ループと第二編地の側端ループを重ね、第三編地の側端ループと第一編地の第三編地側側端ループを重ねた後、第一編地に給糸して次コースのループを形成する編成を繰り返して第一、第二、第三編地が接合されることを特徴とする編地。
【発明の詳細な説明】
技術分野
本発明は編地同士を接合する方法に関し、編地同士を接近させるために行う前後針ベッド間の目移しを不要、または目移し回数を少なくできる編地接合方法および接合された編地に関する。
背景技術
横編機上の異なる領域で編成した編地同士を編成工程の間に接合することで後の縫製工程を省略ないし簡略化できる。これを例えばセーターの袖と身頃の接合に利用し、横編機上で編成した左右の袖と身頃を脇下部から肩部に至る接合領域で接合し編成完了後の後処理を簡略化又は不要な状態で編成する方法が種々研究されている。以下、第２２図〜第２５図を使用し前後一対の下部針ベッド上に上部針ベッドを備えた四枚針ベッド横編機でセーター１０１の袖１０２，１０３を身頃１０４に接合する編成を説明する。第２３図〜第２５図のＦＤは下部前針ベッド、ＦＵは上部前針ベッド、ＢＤは下部後針ベッド、ＢＵは上部後針ベッドを示し、左側の数字はコース番号である。第２３図のコース０において、左から右袖１０２，身頃１０４，左袖１０３が係止されている。右前袖１０２ａと右後袖１０２ｂ、前身頃１０４ａと後身頃１０４ｂ、左前袖１０３ａと左後袖１０３ｂはその両端で連結された筒状編地である。接合を開始するコース１では、右後袖１０２ｂを上部前針ベッドＦＵに、左前袖１０３ａを上部後針ベッドＢＵに目移しする。コース２では後針ベッドを左に１ピッチラッキングした後、右後袖１０２ｂを下部後針ベッドＢＤに、左前袖１０３ａを下部前針ベッドＦＤに目移しし、右後袖１０２ｂの右端のループを後身頃１０４ｂの左端のループと重ね、左前袖１０３ａを前針ベッドに目移しして左前袖１０３ａの左端のループを前身頃１０４ａの右端のループと重ねる。コース３では右前袖１０２ａを上部後針ベッドＢＵに、左後袖１０３ｂを上部前針ベッドＦＵに目移しする。そしてコース４では後針ベッドを右に１ピッチラッキングした後、右前袖１０２ａを下部前針ベッドＦＤに、左後袖１０３ｂを後下部針ベッドＢＤに目移しし、右前袖１０２ａの右端のループを前身頃１０４ａの左端のループと、左後袖１０３ｂの左端のループを後身頃１０４ｂの右端のループと重ねる。コース５，６では給糸口１１０を走行させ前身頃１０４ａを編成し、コース７，８ではもう一つの給糸口１１１で後身頃４ｂを編成する。以上、コース１〜コース８で示される編成▲１▼では右袖１０２と左袖１０３を編成せずに身頃１０４に接合する。続いて、コース９〜コース１２ではコース１〜コース４と同様の編成により右袖１０２、左袖１０３の側端ループをそれぞれ前身頃１０４ａ，後身頃１０４ｂのループと重ねる。そしてコース１３では給糸口１１０で前身頃１０４ａを編成するとともに、右袖１０２の編成に使用される給糸口１１３を使用して右前袖１０２ａを編成し、コース１４では前身頃１０４ａ，右前袖１０２ａを編成するとともに左袖編成用の給糸口１１４で左前袖１０３ａを編成する。コース１５では後身頃１０４ｂ，右後袖１０２ｂ，左前袖１０３ａを、コース１６では後身頃１０４ｂ，右後袖１０２ｂ，左後袖１０３ｂを、コース１７では左後袖を編成する。以降編成▲１▼を適宜回数繰り返す毎に編成▲２▼を行う編成を繰り返して袖１０２，１０３と身頃１０４を接合する。
上記接合方法により直角に近い袖付け角度αで袖１０３と身頃１０４を接合するには、袖１０２，１０３を編まずに身頃１０４と接合する編成▲１▼のみを行って接合すればよい。しかしながら、袖１０２，１０３を編まずに身頃１０４と接合する編成▲１▼を繰り返す毎に前編地部１０２ａ，１０３ａおよび後編地部１０２ｂ，１０３ｂを前後針ベッド間で１往復分の目移しによる掛け替えを行って袖１０２，１０３を身頃１０４側に移動させるため、全てのループを身頃１０４と接合するには袖１０２，１０３のウエール数の２倍以上の回数目移ししなければならない。袖１０２，１０３のウエール数が多い場合や、弱い糸質の編糸を使用して編成する場合、さらに細かなループを形成して編成する場合には、同じループを前後針ベッド間で繰り返し目移しすることで糸切れが発生したりループが伸ばされる虞がある。この問題を回避するため、上記接合方法では編成▲１▼を適宜回数繰り返す毎に編成▲２▼を行うことにより、目移しするループを新たに形成したループへと移しながら接合編成を行う。しかしながら、編成▲２▼を行うと袖山１０５ａ，１０５ｂが形成され袖付け角度αが小さくなってしまう。このように上記した編成方法では、糸切れやループが伸ばされるのを回避するため袖１０２，１０３と身頃１０４の接合開始後も袖１０２，１０３を編成する必要があり、袖１０２，１０３と身頃１０４のウエール方向が直交するような大きな袖付け角度で袖１０２，１０３と身頃１０４を接合することは困難である。特に弱い材質の編糸を編成に使用する場合には、袖１０２，１０３を編成する編成▲２▼の回数を増やさなければならず、十分な袖付け角度αが得られない。
また、特開２０００−２５６９４７号公報では袖と身頃の接合開始前に引き返し編により袖山を形成した袖を身頃と接合する方法が開示されている。特開２０００−２５６９４７号では、針ベッド上の異なる領域で身頃を挟んで左右の袖を編成し、袖を袖口から、身頃を裾ゴムから袖と身頃の接合開始箇所となる脇まで編成した後、身頃の編成を一時休止して袖山を引き返し編して任意の形状の袖山を形成し袖山の最終コースをゴム糸等の特殊糸で編成する。続いて、身頃と重ねる袖の最終コースのループを係止したまま身頃の編成を再開し、身頃の側端部のループと袖のループを重ねるとともに身頃に給糸して袖と身頃を接合する編成を繰り返す。上記編成方法では、身頃との接合を開始する前に袖山を形成するため、袖と身頃を並行して編成しながら接合する場合のように袖と身頃の編成コース数の比を考慮する必要がなく、袖山の形状を自由に設定でき、しかも袖山の最終コースを特殊糸で編成しているため、袖を身頃側に移動させる際に、袖山の最終コースのループを前後ベッド間で何度も掛け替えても糸切れが発生したり、接合箇所のループが伸ばされるとい問題が発生し難い。しかしながら、特殊糸を使用することで製造コストが上昇したり、ゴム糸を適切なテンションで供給するための特殊な装置が必要となる。
本発明は編地同士を接合する際に、編地を接近させるために行う前後ベッド間での目移しを不要、または目移し回数を少なくできる編地接合方法および接合された編地を開示するものである。
発明の開示
上記した問題を解決するため本発明の編地接合方法は、左右方向に延び、かつ前後に対向する少なくとも一対の針ベッドを備え、それぞれの針ベッドは多数の針を持ち、前記対向する針ベッドの少なくとも一方の針ベッドが左右にラッキング可能に構成され、前後針ベッド間で目移し可能な横編機で、第一編地と、第一編地を挟んで編成される第二、第三編地を編成し、第二、第三編地の最終コースのループを第一編地に近い側から順に一端側から他方側に向かい順に第一編地の側端ループと重ね合わせ第一編地に次コースのループを形成する編成を繰り返す接合工程により第一編地と第二、第三編地を接合する編地接合方法であって、
第二編地と第三編地を前後異なる針ベッド上に保持し、ラッキングにより第一編地および第三編地を共に第二編地側に移動させるとともに、前後ベッド間で第一編地を掛け替え、第一編地の第二編地側側端ループと第二編地の側端ループを重ね、第三編地の側端ループと第一編地の第三編地側側端ループを重ねた後、第一編地に給糸して次コースのループを形成する編成を繰り返すことを特徴とする編地接合方法。上記した発明の構成によれば、第一編地と第二、第三編地を接合する工程において、第二編地、第三編地を目移しにより異なる針ベッド上に係止させ、前後針ベッドのラッキングにより第三編地を第二編地側に移動させるとともに、前後針ベッド間で第一編地の掛け替えを行うことにより、第一及び第三編地を共に第二編地側に移動させて第二および第三編地の側端ループと第一編地の側端ループを重ねる毎に第一編地を編成して第一、第二、第三編地を接合する。上記接合編成により編地を接合することで、前後針ベッド間での目移しによる掛け替えのみにより編地同士を接近させて接合する場合に比べ、前後針ベッド間での目移し回数を減らすことができる。
また、本発明の編地接合方法は、編地接合方法であって、第一、第二、第三編地がそれぞれ第一針ベッドに付属して編成される第一編地部と、第二針ベッドに付属して編成される第二編地部が前後に重ねられて編成される筒状編地であって、第一編地と第三編地の第一編地部を第二編地の第一編地部側に移動させる編成と、第一編地と第三編地の第二編地部を第二編地の第二編地部側に移動させる編成を並行して行うことも特徴の一つである。
また、本発明の編地接合方法は、接合工程が以下の工程；
ａ）  第二編地の第二編地部を第一針ベッド上に、第三編地の第一編地部を第二針ベッド上に係止させる工程
ｂ）  第二編地の第二編地部を第一針ベッド上に、第三編地の第一編地部を第二針ベッド上に保持し、ラッキングにより第三編地の第一編地部を第一編地の第一編地部側に移動させ、第三編地の第一編地部における側端ループと第一編地の第一編地部における側端ループを対向させて両ループを重ねる編成と、
第一編地の第二編地部を第二編地の第二編地部側に移動させ、第一編地の第二編地部における第二編地側側端ループと第二編地の第二編地部における側端ループを対向させて両ループを重ねる編成を行う工程
ｃ）  第一編地の第一編地部を前後ベッド間で掛け替えを行う間に第一編地の第一編地部を第二編地の第一編地部側に移動させ、第一編地の第一編地部における第二編地側側端ループと第二編地の第一編地部における側端ループを対向させて両ループを重ねる工程
ｄ）  第一編地の第二編地部を前後ベッド間で掛け替えを行う間に第三編地の第二編地部を第一編地の第二編地部側に移動させ、第三編地の第一編地部における側端ループと第一編地の第二編地部における第三編地側側端ループを対向させて両ループを重ねる工程
ｅ）  第一編地の第一編地部および第二編地部に給糸して次コースのループを形成する工程
ｆ）  上記工程ｂ〜ｅを繰り返す工程
を含むことも特徴の一つである。上記した発明の構成によれば、前後針ベッドを１方向にラッキングすることにより、第三編地の第一編地部を第一編地の第一編地部側に移動させて第三編地の第一編地部における側端ループと第一編地の第一編地部における第三編地側側端ループを対向させ、第一編地の第二編地部における第二編地側側端ループと第二編地の第二編地部における側端ループを対向させて両ループを重ねる。続いて、第一編地の第二編地部を第一針ベッド上に目移しし、その状態でラッキングを行って第一編地の第一編地部における第二編地側側端ループと第二編地の第一編地部における側端ループを対向させ、両ループを重ねるとともに第一編地の第二編地部を第二針ベッド上に移し戻し、第一編地の第二編地部に給糸して次コースのループを形成する。同様に第一編地の第二編地部を第二針ベッド上に目移しし、その状態でラッキングを行って第一編地の第二編地部における第三編地の第二編地における側端ループを対向させ、両ループを重ねるとともに第一編地の第一編地部を第一針ベッド上に移し戻し第一編地の第一編地部に給糸して次コースのループを形成する。上記編成を繰り返すことで、第一編地と第三編地が第二編地側に移動しながら第一編地部同士および第二編地部同士が接合され、前後針ベッド間での目移しによる掛け替えのみにより編地同士を接近させて接合する場合に比べ、第二編地および第三編地を前後針ベッド間で目移しする回数を減らすことができる。
また、本発明の編地接合方法は、第一編地の第一編地部に分岐部が形成され、分岐部の形成開始後、第一編地の第一編地部が分岐部を挟んで第一のａ編地と第一のｂ編地として編成される編地の接合工程が以下の工程；
ａ）  第三編地の第一編地部を第二針ベッド上に保持し、ラッキングにより第三編地の第一編地部の側端ループと第一のｂ編地の側端ループを対向させて両ループを重ねる毎に第一のｂ編地に給糸して次コースのループを形成する編成と、第二編地の第二編地部のループを第一針ベッド上に回し込む編成を繰り返す工程
ｂ）  第二編地の第一編地部、および前記第一針ベッド上に目移しした第二編地部のループを第二針ベッド上に保持し、ラッキングにより第二編地の第一編地部の側端ループと第一のａ編地の側端ループを対向させて両ループを重ねる毎に第一のａ編地に給糸して次コースのループを形成する編成と、第三編地のループを第一針ベッド上に回し込む編成を繰り返す工程
ｃ）  第一編地の第二編地部を前後針ベッド間で掛け替えを行う間に第一編地の第二編地部における側端ループと第三編地の第二編地部における側端ループを対向させて両ループを重ねる編成と、
ラッキングにより第二編地の第二編地部における側端ループと第一編地の第二編地部における第二編地側側端ループを対向させて両ループを重ねる毎に第一編地の第二編地部に給糸して次コースのループを形成するとともに、第一針ベッド上の第二編地の第二編地部のループを第二針ベッド上に回し込み編成する工程
ｄ）  第一編地の第二編地部を前後針ベッド間で掛け替えを行う間に、第一編地の第二編地部における第二編地側側端ループと第二編地の第二編地部における側端ループを対向させて両ループを重ね、第三編地の第二編地部における側端ループと第一編地の第二編地部における側端ループを対向させて両ループを重ねる毎に第一編地の第二編地部に給糸して次コースのループを形成する工程を含むことも特徴の一つである。上記した発明の構成によれば、第一編地において分岐部の形成開始後、第一編地の第一のｂ編地を編成しながら第一のｂ編地の側端ループと第三編地の側端ループを重ねる編成と、第二編地の第二編地側の側端ループを第一針ベッド上へ回し込む編成を行って第一針ベッド上に係止されるループの数と第二針ベッド上に係止されるループ数の差を小さくする回し込み編成を第三編地の第一編地部の全てのループと第一のｂ編地の接合が完了するまで繰り返す。続いて、第一編地の第一のａ編地を編成しながら第一のａ編地の側端ループと第二編地の側端ループを重ねる編成と、第三編地の側端ループを第一針ベッド上へ回し込む回し込み編成を第二編地の第一編地部の全てのループと第一のａ編地の接合が完了するまで繰り返し、第一編地と第二、第三編地の第一編地部同士を接合し、第二、第三編地の第二編地部が第一、第二針ベッドに分かれて係止される状態とする。続いて、第二編地部同士の接合へと移り、第一編地の第二編地部を第三編地側に移動させる編成と、第二編地を第三編地側に移動させる編成を行って、第一編地の側端ループと第二、第三編地の側端ループを重ねる編成を繰り返し、第二編地の第二編地部のループが第二針ベッド上に、第三編地の第二編地部が第一針ベッド上に係止される状態となるまで繰り返す。続いて、第一編地の第二編地部を第二編地側に移動させながら第一編地の側端ループと第二編地の側端ループに重ね、第三編地の側端ループと第一編地の側端ループを重ねる編成を第二、第三編地の全てのループと第一編地の接合が完了するまで繰り返して編地同士を接合する。なお、第一のｂ編地と第三編地の接合と、第一のａ編地と第二編地の接合はいずれを先に行ってもよい。また、第二編地同士の接合開始後、第二編地と第三編地は入れ替わってもよい。
また、本発明の編地接合方法は、第一編地が身頃、第二、第三編地が左右の袖として形成される編地であって、左右の袖の袖山を引き返し編により形成した後、袖と身頃を接合することも特徴の一つである。
また、本発明の編地接合方法は、第一、第二、第三編地が全体を一つの筒状編地として構成される編地の第一領域部、第二領域部、第三領域部として形成されることも特徴の一つである。
また、本発明の接合された編地は、左右方向に延び、かつ前後に対向する少なくとも一対の針ベッドを備え、それぞれの針ベッドは多数の針を持ち、前記対向する針ベッドの少なくとも一方の針ベッドが左右にラッキング可能に構成され、前後針ベッド間で目移し可能な横編機で編成される編地であって、第一編地と、第一編地を挟んで編成される第二、第三編地を編成し、第二、第三編地の最終コースのループを第一編地に近い側から順に一端側から他方側に向かい順に第一編地の側端ループと重ね合わせ第一編地に次コースのループを形成する編成を繰り返す接合工程により第一編地と第二、第三編地を接合する過程において、第二編地と第三編地を前後異なる針ベッド上に保持し、ラッキングにより第一編地および第三編地を共に第二編地側に移動させるとともに、前後ベッド間で第一編地を掛け替え、第一編地の第二編地側側端ループと第二編地の側端ループを重ね、第三編地の側端ループと第一編地の第三編地側側端ループを重ねた後、第一編地に給糸して次コースのループを形成する編成を繰り返して第一、第二、第三編地が接合されることを特徴とする。
発明を実施するための最良の形態
本発明の好適な実施例を図面とともに詳細に説明する。以下第一〜第四実施例を説明するが、第一実施例では上面に夫々多数の編針を列設した前針ベッドＦＤと後針ベッドＢＤを前後に対峙し、後針ベッドＢＤが前針ベッドＦＤに対し相対的にラッキング可能であって、且つ前針ベッドＦＤと後針ベッドＢＤ間で目移し可能な二枚ベッド横編機を使用する。第二〜第四実施例では、下部前針ベッドＦＤと下部後針ベッドＢＤを前後に対峙し、下部前針ベッドＦＤと下部後針ベッドＢＤ上に下部針ベッドと同ピッチで多数の編針が列設された上部前針ベッドＦＵと上部後針ベッドＢＵを備え、後針ベッドＢＤが前針ベッドＦＤに対し相対的にラッキング可能であって、且つ前後の下部針ベッド間および対向する下部針ベッドと上部針ベッド間で目移し可能な四枚ベッド横編機を使用する。しかしながら、第一実施例を四枚ベッド横編機で編成することもできるし、第二〜第四実施例を前後一対の下部針ベッドのみを備えた二枚ベッド横編機により編成することもできる。二枚ベッド横編機で編成する場合には前針ベッドＦＤ上に前編地部の表目編成用の針と、後編地部の裏目形成用の針を交互に配置し、後針ベッドＢＤ上に後編地部の表目形成用の針と、前編地部の裏目形成用の針を配置し、それぞれの編地部の編成に１本置きの針を使用する針抜き編成を行う。針抜き編成では前編地部を編成する際に前針ベッドＦＤ上で形成される後編地部の裏目を後針ベッドＢＤの針に目移しして後編地部のループを全て後針ベッドＢＤに係止（付属）させ、後編地部を編成する際に後針ベッドＢＤ上で形成される前編地部の裏目を前針ベッドＦＤの針に目移しして前編地部のループを全て前針ベッドＦＤに付属させ各編地を前後に重ね合わせて編成する。針抜き編成の詳細に関しては特公平３−７５６５６号公報等に開示されておりこれ以上の説明を省略する。針抜き編成を行うことで、各編地は対向する針ベッド上に目移し用の空針を常に確保でき、この空針を使用することでリンクス、ガーター、リブなどの表目と裏目が混在する編組織の編成や、袖や身頃のループを横方向に移動させて互いに接合することが可能となる。
＜第一実施例＞
第一実施例を第１図〜第５図を使用して説明する。第一実施例はＴスリーブのセーターを編成する実施例である。セーター用編地１は矢印Ｉ方向に編成され、前身頃２ａ、後身頃２ｂ、左袖３、右袖４が形成され、前身頃２ａには周囲に衿５が形成される衿首用開口６が形成される。なお、以下の説明ではセーター１の着用時を基準としてセーターの左右を定義する。セーター用編地１は第２図のステップＬ〜Ｐにより編成される。ステップＬでは前身頃２ａと袖３，４の接合を行う前に前身頃２ａと左右の袖３，４を異なる領域で並行して編成する。ステップＭでは、左右の袖３，４の最終コースのループを身頃部に近い側から前身頃側端部のループと重ね合わせて重ね目を形成し、該重ね目を含め前身頃２ａに給糸して左袖３を反時計回り方向に、右袖４を時計回り方向に回転させて袖３，４と前身頃２ａを接合する。ステップＮでは前身頃２ａの右前身頃７ａと左前身頃７ｂを異なる給糸口を使用して編成し、衿首用開口６を形成しながら袖３，４と前身頃２ａを接合する。前身頃２ａの編成がＨ−ｈ箇所まで完了した後、前身頃２ａに衿５を形成し、衿５最終コースを公知の解れ止め編成により伏目処理する。続いてステップＯでは後身頃２ｂの編成に先立ち、衿５の編出し編成に続いて衿５を形成し、続いて後身頃２ｂを編成しながら左右の袖３，４を身頃側に移動させ袖３，４と身頃２を接合する。袖３，４と身頃２の接合完了後、ステップＰでは後身頃２ｂを編成し、後身頃２ｂの最終コースを前記解れ止め編成により伏目処理することでセーター用編地１が完成する。編成完了後、Ａ−Ｂ−Ｃとａ−ｂ−ｃを、Ｄ−Ｅ−Ｆとｄ−ｅ−ｆを縫合することでセーターが完成する。
本実施例の編地接合方法は袖３，４と身頃２を接合するステップＭ〜Ｏでの編成に特徴があり、以下、ステップＭ〜Ｏでの編成を詳述する。第３図のコース０はステップＬの編成完了後の状態を示す。白丸で示す前身頃２ａの左右に黒丸で示す左右の袖３，４が係止される。分岐部となる衿首用開口６の形成開始前のステップＭにおける編成を説明する。コース１では前身頃２ａと左袖３を後針ベッドＢＤに目移しし、コース２で後針ベッドＢＤを左に１ピッチラッキングした後、前身頃２ａを前針ベッド下Ｄに移し、前身頃２ａの左端のループ１１と右袖４の左端のループ１２を重ねる。コース３では後針ベッドＢＤを更に左に１ピッチラッキングし左袖３の身頃２側の側端ループ１３と前針ベッドＦＤに目移しして前身頃２ａの右端のループ１４を重ねる。コース４および５では給糸口１５で前身頃２ａを編成し、以降ステップＭではコース１〜５の編成を繰り返して袖３，４と前身頃２ａを接合する。なお、本実施例では右袖４のループの後に前身頃２ａのループを重ね、前身頃２ａのループの後に左袖３のループを重ねているが、右袖４のループを後針ベッドＢＤに目移しした状態で前身頃２ａを前針ベッドＦＤに目移しし、前針ベッドＦＤに係止される前身頃２ａのループに右袖４のループを重ねてループの重ね順を左右同じにすることもできる。
衿首用開口６を形成するステップＮでは、コース６〜７で新たに給糸口１６を編成に追加し、右前身頃７ａを給糸口１５で、左前身頃７ｂを給糸口１６で編成する。この時、前身頃２ａの中央の針から外側に向かって休止状態として衿首用開口６を形成する。コース８では前身頃２ａと左袖３を後針ベッドＢＤに目移しし、コース９では後針ベッドＢＤを左に１ピッチラッキングした後、前身頃２ａを前針ベッドＦＤに移して右袖４の右端ループ１８に前身頃２ａの側端ループ１９を重ねる。コース１０では後針ベッドＢＤを左に更に１ピッチラッキングした後、左袖３の右端ループ２０を前針ベッドＦＤに目移しして前身頃２ａの右端ループ２１に重ねる。コース１１およびコース１２では左右の前身頃７ａ，７ｂを編成する際にコース６〜７の外側の針を休止させ衿首用開口６を広げてゆく。以降コース８〜１２の編成を対象となる針を移行しながら繰り返して衿首用開口６を形成しながら前身頃２ａをＨ−ｈ箇所まで編成する。続いてコース１３〜１４では前記休止状態とした針に連続して給糸して衿５を形成し、衿５の最終コースを図示せぬ解れ止め編成による伏目処理と、公知の編出し編成を行い前身頃と後身頃に衿５を形成する。続いてステップＯでは、コース１５，１６で前身頃２ａを編成した後、コース１７〜２１でコース１〜５と同様の編成を繰り返し後身頃２ｂと左右の袖３、４を接合する。そして袖３，４と後身頃２ｂの接合完了後のステップＰで後身頃２ｂの残り部分を編成する。なお、上記実施例では後針ベッドＢＤの最大ラッキングピッチ内で全てのループを接合可能な場合を説明したが、全てのループの接合に必要なラッキングピッチ数が後針ベッドＢＤの最大ラッキングピッチ数を越える場合には、後針ベッドＢＤに係止されるループを一旦前針ベッドＦＤに目移しし、全てのループを前針ベッドＦＤ上に係止させた状態で後針ベッドＢＤを右側にラッキングし、前針ベッドＦＤに目移ししたループを後針ベッドＢＤに移す振り戻し編成を行えばよい。
上記したように本実施例の編地接合方法では、前後針ベッドのラッキングによる位相のずれを利用し、身頃２と左右の袖３，４を接合する毎に身頃２を右袖４側に１ピッチ、左袖３を２ピッチ移動させてループを重ねる。したがって、接合編成開始後、振り戻しを行う場合を除いて次コースのループ形成を行わない袖３，４を前後針ベッド間で掛け替えを行い身頃２側に移動させる必要がない。身頃２は前後針ベッド間で掛け替えられるが、接合工程開始後も身頃２では次コースのループの形成を行うので前後針ベッド間での掛け替えによる問題は発生しない。したがって、袖３，４と身頃２の接合工程の一部または全部を本実施例の方法により行うことにより、身頃２と袖３，４を互いに接近させてループを重ねるために次コースのループ形成を行わない袖３，４を前後ベッド間で掛け替える必要がなく、糸切れやループが伸ばされる問題が発生し難い。したがって、袖３，４と身頃２の接合開始後、袖３，４を編成することなく接合することができ、袖３，４と身頃２をウエール方向が直交するような大きな角度で接合することも可能で、袖付け角度を自由に設定できる。
＜第二実施例＞
次に第二実施例を第６図〜第１６図で説明する。第二実施例は第一実施例の編成を筒状編地の接合に適用した例であり、Ｔスリーブのセーターを編成する実施例である。セーター３１は筒状の左右の袖３２，３３と身頃３４が脇部３５ａ，３５ｂから肩部３６ａ，３６ｂにかけて接合される。左右の袖３２，３３は袖口３７，３８から、身頃３４は裾ゴム３９から矢印Ｊ方向に編成される。袖３２，３３は身頃３４との接合開始後、前身頃３４ａと後身頃３４ｂに異なる給糸口を反転走行させて編成する。身頃３４を適宜コース編成する毎に袖３２，３３の最終コースのループを身頃３４の側端のループと重ねて前身頃３４ａおよび後身頃３４ｂに給糸して袖３２，３３と身頃３４を接合する。前身頃３４ａを袖３２，３３と接合する過程で前身頃３４ａに衿首用開口４１を形成し、衿首用開口４１の形成開始後、前身頃３４ａの右前身頃４２ａと左前身頃４２ｂを異なる給糸口で編成する。袖３２，３３と身頃３４の接合完了後、肩部３６ａ，３６ｂで前身頃３４ａと後身頃３４ｂを接合して公知の解れ止め編成により伏目処理し、最後に衿４３を形成してセーター３１が完成する。
以下、袖３２，３３と身頃３４を接合する編成を接合開始前まで完了したところから説明する。先ず、衿首用開口４１を形成しないステップＹと、衿首用開口４１を形成するステップＸの編成の概略を第７図〜第８図を使用して説明する。なお、第７図〜第８図において次コースのループ形成を行う部分を太線で、形成を行わない部分を細線で示す。第二実施例のステップＹではラッキングにより前身頃３４ａと左前袖３３ａを右前袖３２ａ側に移動させ、前身頃３４ａの右端ループと右前袖３２ａの側端ループを重ね、左前袖３３ａの側端ループと前身頃３４ａの側端ループを重ねる毎に前身頃３４ａに給糸する編成と、後身頃３４ｂと左後袖３３ｂを右後袖３２ｂ側に移動させ、後身頃３４ｂの左端ループと右後袖３２ｂの側端ループを重ね、左後袖３３ｂの側端ループと後身頃３４ｂの側端ループを重ねる毎に後身頃３４ｂに給糸する編成を並行して行う。第７−ａ図から左前袖３３ａを前身頃３４ａ側に移動させて側端ループを重ねる編成と、後身頃３４ｂと左後袖３３ｂを右後袖３２ｂ側に移動させて側端ループを重ねる編成▲１▼により第７−ｂ図に示す状態とする。続いて第７−ｂ図では左前袖３３ａと前身頃３４ａを右前袖３２ａ側に移動させ、前身頃３４ａの側端ループと右前袖３２ａの側端ループを重ねる編成▲２▼により前編地部が後編地部よりも編幅が１目少ない第７−ｃ図の状態とする。続いて第７−ｃ図では左後袖３３ｂを後身頃３４ｂ側に移動させ、後身頃３４ｂの側端ループと左後袖３３ｂの側端ループを重ねる編成▲３▼により第７−ｄ図の状態とする。以降、第７−ａ図〜第７−ｄ図の編成を繰り返すことで前編地部と後編地部でそれぞれ２目づつ編目数が減らされて第７−ｅ図の状態とする。ステップＹでは右袖３２が前針ベッド上の同じ針に、左袖３３が後針ベッドの同じ針に保持され、次コースのループの形成を接合編成開始後も行う身頃部３４を前後針ベッド間で掛け替えて袖３２，３３と接合する。
ステップＸでは第８−ａ図の状態から第８−ｂ図で左前身頃４２ｂを編成し左前身頃４２ｂと左前袖３３ａを接合する。左前身頃４２ｂと左前袖３３ａの接合と並行して右後袖３２ｂの側端ループを右前袖３２ａの外側に目移しし、前針ベッド上の針に係止されるループと、後針ベッド上の針に係止されるループ数の差を解消する回し込み編成を行う。続いて第８−ｃ図では右前身頃４２ａを編成しながら右前身頃４２ａと右前袖３２ａの接合を行い、右前身頃４２ａと右前袖３２ａの接合と並行して左後袖３３ｂの側端ループを前針ベッドに移す回し込み編成を行う。上記編成により、左右の前袖部３２ａ，３３ａと左右前身頃４２ａ，４２ｂの接合が完了し、回し込み編成により左右後袖部３２ｂ，３３ｂのループが前後の針ベッドに分かれて係止される。続いて第８−ｄ図では後身頃３４ｂおよび右後袖３２ｂをそれぞれ左後袖３３ｂ側に移動させ、後身頃３４ｂの側端ループと右後袖３２ｂの側端ループを重ね、左後袖３３ｂの側端ループと後身頃３４ｂの側端ループを重ねる毎に後身頃３４ｂを編成する編成と、前針ベッド上の右後袖３２ｂのループの後針ベッド上への回し込み編成を並行して行い、後身頃３４ｂと右後袖３２ｂの接合と、後身頃３４ｂと左後袖３３ｂを接合し、第二編地の第二編地部を後針ベッド上に、第三編地の第二編地部が前ベッドに係止される状態とする。第８−ｅ図では後身頃３４ｂを右後袖３２ｂ側に移動させ、左後袖３３ｂのループを後身頃３４ｂの側端ループに重ね、右後袖３２ｂのループを後身頃３４ｂの側端ループに重ねる毎に後身頃３４ｂに次コースのループを形成する編成を繰り返すことで第８−ｆ図の状態として接合を完了する。
編成コース第９図〜第１５図を使用しステップＸとステップＹの編成をステップＹから説明する。第９図のコース０において左から順に右袖３２、身頃３４、左袖３３が係止される。右前袖３２ａと右後袖３２ｂ、前身頃３４ａと後身頃３４ｂ、左前袖３３ａと左後袖３３ｂは左右の両端で連続する筒状編地である。左右の袖３２，３３および身頃３４は右前袖３２ａ、前身頃３４ａ、左前袖３３ａよりなる前編地部と、右後袖３２ｂ、後身頃３４ｂ、左後袖３３ｂよりなる後編地部により構成される。前編地部が下部前針ベッドＦＤに後編地部が下部後針ベッドＢＤに付属して編成される。第９図のコース１〜２では第７−ａ図の編成▲１▼を行うため、コース１で左前袖３３ａを上部後針ベッドＢＵへ、右後袖３２ｂを上部前針ベッドＦＵに目移しする。コース２では後針ベッドを左に１ピッチラッキングした後、上部後針ベッドＢＵに係止される左前袖３３ａにおける左端のループ４１を下部前針ベッドＦＤに移して前身頃３４ａの右端のループ４２と重ね、同時に上部前針ベッドＦＵに係止される右後袖３２ｂにおける右端のループ４３を下部後針ベッドＢＤに移して後身頃３４ｂにおける左端のループ４４と重ねる。
次に編成▲２▼を行うコース３〜５では、コース３で前記左前袖３３ａのループ４１との重ね目を含む前身頃３４ａと右前袖３２ａの右端のループ４５を上部後針ベッドＢＵに目移しする。コース４では後針ベッドを左に１ピッチラッキングし、前身頃３４ａのループを下部前針ベッドＦＤに目移しする。そしてコース５では後針ベッドを右に１ピッチラッキングした後、右前袖３２ａの右端ループ４６を前身頃３４ａの右端ループ４７と重ねる。編成▲３▼を行うコース６では、コース６で前記後身頃３４ｂと右後袖３２ｂの重ね目を含む左後袖３３ｂの左端ループ４８を上部前針ベッドＦＵに目移しする。コース７では後針ベッドを左に１ピッチラッキングした後、後身頃３４ｂを下部後針ベッドＢＤに目移しする。コース８では後針ベッドを右に１ピッチラッキングした後、左後袖３３ｂの左端ループ４８を下部後針ベッドＢＤに目移しし後身頃３４ｂの左端ループ４９と重ねる。以上の編成により、右袖３２および左袖３３の前袖部および後袖部のそれぞれ１目づつのループが身頃３４と接合される。コース９，１０では給糸口５１で前身頃３４ａに、コース１１，１２では給糸口５２で後身頃３４ｂに給糸し、袖３２，３３と身頃３４の重ね目にループを形成する。続いてコース１３ではコース２と同様の編成を行った後、コース３〜コース１３に示す編成を繰り返すことで、左袖３３と身頃３４が右袖３２側に移動し袖３２，３３と身頃３４が接合される。
続いてステップＸを説明する。衿首用開口４１の形成を開始するコース１４およびコース１５では給糸口５５を反転させて左前身頃４２ａを編成する。続いて第８−ｂ図の編成を行うコース１６〜１８では、コース１６で上部後針ベッドに係止される左前袖３３ａの側端ループ５６を前針ベッドに係止される左前身頃４２ｂの側端ループ５７に重ねるとともに、並行して右後袖３２ｂの側端ループ５８を前針ベッドの右前袖３２ａの外側に移動させ回し込み編成を行い、コース１７〜１８では左前身頃４２ａを編成する。以降コース１６〜１８の編成を左前袖３３ａの全てのループと左前身頃４２ｂの接合が完了するまで繰り返しコース１９の状態とする。コース１９では左前袖３３ａの左前身頃４２ｂへの接合が完了し、右後袖３２ｂは回し込み編成により半数のループが下部前針ベッドＦＤ上に係止される。コース２０では右前袖３２ａおよび下部前針ベッドＦＤ上に係止される右後袖３２ｂのループを上部後針ベッドＢＵへ目移しする。続いてコース２１〜コース２５では、前記コース１４〜１８で左前身頃４２ｂと左前袖３３ａを接合した編成と同様の編成を行い、第８−ｃ図の編成をコース２３〜２５で行ってコース２６の状態とする。コース２６では右前袖３２ａの右前身頃４２ａへの接合が完了し、左右の後袖３２ｂ，３３ｂのループ中の半数が回し込み編成により前針ベッド上に係止される。
後身頃３４ｂと左右の後袖３２ｂ，３３ｂを接合する第８−ｄ図の編成を行うコース２７〜３２では、コース２７で後身頃３４ｂと左後袖３３ｂを右後袖３２ｂ側に移動させるのに先立ち、後身頃３４ｂと左後袖３３ｂ、及び右後袖３２ｂの側端ループ５９を上部前針ベッドＦＵへ目移しする。ここで右後袖３２ｂの側端ループ５９を前針ベッドに目移しするのは、袖３２，３３と後身頃３４ｂの重ね順を左右同じにするためであるが、必ずしも同じにする必要はない。コース２８では後針ベッドを右に１ピッチラッキングし、後身頃３４ｂを下部後針ベッドＢＤに移し戻すとともに、下部前針ベッド上の右後袖３２ｂの左端ループ６０を前記回し込み編成により下部後針ベッドＢＤ上に目移しする。コース２９では、左に１ピッチラッキングし、前記上部前針ベッドＦＵ上に目移しした右後袖３２ｂの側端ループ６０を後針ベッド上の後身頃３４ｂの側端ループ６１に重ねる。コース３０では後針ベッドを右に２ピッチラッキングした後、前針ベッド上に係止されている左後袖３３ｂの側端ループ６２を後身頃３４ｂの側端ループ６３と重ねる。続いてコース３１と３２では後身頃３４ｂを編成する。以降、コース２７〜３２の編成を繰り返し、左右後袖部３２ｂ，３３ｂの後身頃３４ｂに近い側のループから順に接合しコース３３の状態とする。コース３３では回し込み編成により右後袖３２ｂのループが後下部針ベッドＢＤ上に戻されている。第８−ｅ図の編成を行うコース３４〜３７では、コース３４で右後袖部３２ｂのループを右に１ピッチラッキングし、コース３５では後針ベッドを左に１ピッチラッキングした後、右後袖３２ｂおよび左後袖３３ｂを上部前針ベッドＦＵに目移しし、後身頃３４に近い側のループを後身頃３４ｂの側端ループと重ねる。続いてコース３６および３７では後身頃に給糸し、以降、コース３４〜３７の編成を全てのループの接合が完了するまで繰り返しコース３８の状態とし接合を完了する。
上記したように第二実施例では、接合工程の間、右袖３２は同じ針に保持される。身頃３４は前身頃３４ａおよび後身頃３４ｂともに前針ベッドまたは後針ベッド上で右袖３２側に位置する針に順次掛け替えられて右袖３２側に移動され、左袖３３は同じ針に係止されたままラッキングにより右袖３２側に移動される。このように、本実施例の接合方法では、前後針ベッドのラッキングによる位相のずれを利用し身頃３４と左袖３３を右袖３２側に移動させる編成と、前後針ベッド間で前身頃３４ａおよび後身頃３４ｂの掛け替えを行って身頃３４と右袖３２および左袖３３の側端ループを重ねる編成により袖３２，３３と身頃３４を接合する。したがって、接合工程の一部または全部を本実施例の接合方法により行うことにより、袖３２，３３と身頃３４を近づけるために行う前後針ベッド間での目移し回数を減らすことができる。袖の目移し回数が減ることで糸切れやループが伸ばされる問題が発生し難く、袖３２，３３と身頃３４をウエール方向が直交するような大きな角度で接合できる。また、袖３２，３３を編まずに接合する編成と袖３２，３３を編みながら接合する編成の割合を調整することで袖付け角度αを自由に設定できる。
＜第三実施例＞
次に第三実施例を第１６図〜第１７図を使用して説明する。第三実施例は第１６図のドルマンセーター６１を編成する実施例である。ドルマンセーター６１は前身頃６２ａと後身頃６２ｂが前後に重ねられてなる身頃６２と、それぞれが筒状に編成される左右の袖６４，６５より構成される。本実施例では、接合箇所に近づくにつれて編幅を大きく広げた袖６４，６５と身頃６２を裾ゴム６３に近い位置から接合し、身頃６２と袖６４，６５を接合する過程で身頃６２に減らし編成を行って編幅を狭めてゆく。身頃６２の減らし編成は、身頃６２の最外側のループとその内側に位置するループに重ねる外減らし、または側端部から適宜ウエール内側に位置するウエールのループ同士を重ねる内減らしのいずれにより行ってもよい。身頃６２を編成する過程で衿首用開口６６を形成するとともに、袖６４，６５と身頃６２の接合完了後、肩部６７ａ，６７ｂで前身頃６２ａと後身頃６２ｂを接合し、衿首用開口６６に沿って衿６８を形成することでドルマンセーター６１が編成される。従来、ドルマンセーターの様に袖と身頃の接合範囲が広いデザインのセーターを編成する場合には、編地同士を接近させるための前後針ベッド間で掛け替えを行うための目移し回数が増え、糸切れやループが伸ばされる等の問題が発生しやすい。したがって、これまでドルマンセーターでは、袖口から袖と身頃の接合部に向かう一般的なセーター編成方向とは異なる編成方向により編成した袖を形成していた。しかしながら、本実施例の編成方法によれば、袖を袖口から袖と身頃の接合部に向かう編成方向に形成することが可能でデザイン的に優れたセーターを編成できる。上記したように、第三実施例においても第二実施例と同様に編地同士を接近させるための前後針ベッド間で掛け替えを行うための目移しを不要、または回数を従来よりも少なくすることができる。なお、第三実施例では袖と身頃を接合する間に袖を全く編成せずに接合したが、接合を行う間に袖を適宜コース編成してもよい。このように袖と身頃の接合の間に袖を編成することで袖付け角度を自由に設定できる。また、上記実施例では身頃で減らし編成を行ったが必ずしも減らし編成を行う必要はない。
＜第四実施例＞
次に第四実施例を第１８図〜第２０図を使用して説明する。第四実施例は本発明の編成方法を前記特開２０００−２５６９４７号公報の編成方法に適用した実施例であり、特開２０００−２５６９４７号公報で必要とされる特殊糸が不要となる。第１９図は第四実施例の編成ステップを示す図であり、次コースのループの形成を行う部分を太線で、ループの形成を行わない部分を細線で示す。第四実施例では、第１９図のステップａ〜ｃで第一実施例と同様に袖７１，７２を袖口７７，７８から、身頃７３を裾ゴム７９から編成を開始し、身頃７３の編成が身頃７３と袖７１，７２の接合を開始するまでそれぞれを筒状の編地として編成する。ステップｄ〜ｆでは、前ベッド上に係止される前袖７１ａ，７２ａと後ベッド上に係止される後袖７１ｂ，７２ｂに対し身頃側側端ループを給糸口の方向転換点としてＣ字状に給糸する引き返し編により左右の袖７１，７２をそれぞれ編成し、袖山７４，７５を形成する。袖山７４，７５の形成完了後、ステップｇ〜ｉで第二実施例と同様に前身頃７３ａおよび左前袖７２ａを右前袖７１ａ側に移動させ、同様に後身頃７３ｂを右後袖７１ｂ側に、左後袖７２ｂを後身頃７３ｂ側に移動させて袖７１，７２と身頃７３を重ねるとともに、身頃７３に給糸して身頃７３に次コースのループを形成する編成を繰り返して袖７１，７２と身頃７３を接合し、その過程で衿首用開口８０を形成する。そして肩部８１ａ，８１ｂにおいて前身頃７３ａと後身頃７３ｂを接合し、衿首用開口８０に沿って衿８２を形成することでセーター７６が完成する。第四実施例では、袖山７４，７５の編成を身頃７３の編成と別に行うので、袖山７４，７５と身頃７３の編成比率を考慮する必要がなく、袖山７４，７５の形状を自由にできるとともに、身頃と袖の編成に異なる給糸口を使用して編成可能である。このように、第四実施例においても袖７１，７２と身頃７３を接合する際に袖７１，７２を前後針ベッド間で掛け替えを行うための目移し回数を少なくできる。
なお、接合工程の最初から最後までを一貫して上記実施例の接合方法により接合する必要はなく、従来の接合方法により糸切れ等の問題が発生しない範囲内で接合した後、残りの部分を接合することもできる。また、上記実施例では一貫して身頃および左袖を右袖側に移動させているが、身頃と右袖を左袖側に移動させて接合したり、身頃および左袖を右袖側に移動させる編成と身頃と右袖を左袖側に移動させる編成を組み合わせることも可能である。また、上記実施例ではセーターの袖と身頃を接合する場合を説明したが、例えばベストの袖ぐり周りに筒状のリブ編地を接合する場合や、第一編地が完全な筒状の編地ではなく前身頃が左右に分割して編成されるカーディガンなど、他の形態のニットウエアの編成にも利用できる。また、上記実施例は実施の一例を示したものであり、編成順序や給糸口の取り回しなど当業者が通常有する知識に基づき変更可能な点について限定するものではない。なお、上記第二実施例では第２１−ａ図のように三枚の独立した筒状編地を接合する場合を説明したが、接合する編地は必ずしも独立した編地であることを要しない。例えば、第２１−ｂ図のように一個の筒状編地９１を編成し、続けて中央の領域で前編地９２と後編地９３を編成するとともに、その左右の休止部９４ａ，９４ｂ、９５ａ，９５ｂのループを前編地９２と後編地９３の側端ループと接合し、前編地９２および後編地９３の両側に休止部９４ａ，９４ｂ、９５ａ，９５ｂを接合することも可能である。第２１−ｂ図の方法により休止部９４ａ，９４ｂ、９５ａ，９５ｂと前編地９２，９３を接合した後、前編地９２と後編地９３を最終コースで伏目処理することで、第２１−ｃ図に示す周囲全てに編み出し部が形成された編地を形成できる。また、休止部９４ａ，９４ｂ、９５ａ，９５ｂが前編地９２と後編地９３の両側に回り込み、両端部が開いた編地となり、例えばポロシャツの裾部分を身頃部より広幅に形成し、休止させた部分を身頃部に沿って接合した後、前編地と後編地を筒状に編成すれば裾にスリットを形成することができる。
なお、上記実施例では左袖を前針ベッドに、右袖を後針ベッドに係止し、右袖を左袖側に移動させたが、逆に身頃と左袖を右袖側に移動させて接合することも可能であり、さらに左袖と右袖を前後いずれの針ベッドに移し分けるかは自由である。また、本実施例では袖と身頃の最側端ループ同士を重ねているが、袖のループと重ねる身頃のループは側端部のループであれば最側端のループに限らない。また、上記実施例では身頃を２コース編成する毎に１度接合したが、身頃を１コース編成する毎に袖と接合してもよいし、３または４コース編成する毎に接合することも可能であり、身頃を何コース編成する毎に袖と接合するかは任意に設定できる。
産業上の利用可能性
本発明によれば、前後針ベッド間での目移しによる掛け替えのみにより編地同士を接近させて接合する場合に比べ、前後針ベッド間での目移し回数を減らすことができ、糸切れが発生したり、接合するループが伸ばされたりする問題が発生し難くできる。
【図面の簡単な説明】
第１図は第一実施例により編成したセーター用編地を示す図である。第２図は第一実施例におけるセーター用編地の編成工程を示す図である。第３図は第一実施例を示す編成コース図である。第４図は第一実施例を示す編成コース図である。第５図は第一実施例を示す編成コース図である。第６図は第二実施例により編成されるセーターを示す図である。第７図は第二実施例のステップＹにおける編成を示す図である。第８図は第二実施例のステップＸにおける編成を示す図である。第９図は第二実施例を示す編成コース図である。第１０図は第二実施例を示す編成コース図である。第１１図は第二実施例を示す編成コース図である。第１２図は第二実施例を示す編成コース図である。第１３図は第二実施例を示す編成コース図である。第１４図は第二実施例を示す編成コース図である。第１５図は第二実施例を示す編成コース図である。第１６図は第三実施例により編成したドルマンセーターを示す図である。第１７図は第三実施例を示す図である。第１８図は第四実施例を示す図である。第１９図は第四実施例を示すステップ図である。第２０図は第四実施例により編成したセーターを示す図である。第２１図は第二実施例の変形例を示す図である。第２２図は従来の接合方法により袖と身頃を接合したセーターを示す図である。第２３図は従来の接合方法を示す編成コース図である。第２４図は従来の接合方法を示す編成コース図である。第２５図は従来の接合方法を示す編成コース図である。
【図１】
0003887409.tif 000002
【図２】
0003887409.tif 000003
【図３】
0003887409.tif 000004
【図４】
0003887409.tif 000005
【図５】
0003887409.tif 000006
【図６】
0003887409.tif 000007
【図７】
0003887409.tif 000008
【図８】
0003887409.tif 000009
【図９】
0003887409.tif 000010
【図１０】
0003887409.tif 000011
【図１１】
0003887409.tif 000012
【図１２】
0003887409.tif 000013
【図１３】
0003887409.tif 000014
【図１４】
0003887409.tif 000015
【図１５】
0003887409.tif 000016
【図１６】
0003887409.tif 000017
【図１７】
0003887409.tif 000018
【図１８】
0003887409.tif 000019
【図１９】
0003887409.tif 000020
【図２０】
0003887409.tif 000021
【図２１】
0003887409.tif 000022
【図２２】
0003887409.tif 000023
【図２３】
0003887409.tif 000024
【図２４】
0003887409.tif 000025
【図２５】
0003887409.tif 000026